(57)【要約】【課題】  災害発生場所の特定や推移状況を即時に確認できると共に、災害情報を迅速且つ確実に関係機関に通報して早期鎮圧を図ることができる、防災支援システムを得る。【解決手段】  防災用端末のリレー接点出力を制御装置に個々に入力すると共に、該制御装置にＯＳＩ基本参照モデル第２層のデータリンク層とＯＳＩ基本参照モデル第３層のネットワーク層とＯＳＩ基本参照モデル第４層のトランスポート層をハードウェア化したＴＣＰ／ＩＰ制御部を内蔵し、ＬＡＮ等のネットワークにおけるＴＣＰ／ＩＰのプロトコル制御をハードウェア制御により実行させる。また、該ＬＡＮ等のネットワークに監視サーバを接続すると共に、該監視サーバを災害監視センターや消防署等の関係機関に設置したサーバや防災指令車に搭載したネットワーク通信端末が接続されたインターネット等のネットワークに接続する。【選択図】        図１
2006139740.tif 000002
【特許請求の範囲】
【請求項１】
ガス漏れ検出器や火災感知器等の防災用端末のリレー接点出力を制御装置に個々に入力すると共に、該制御装置にＯＳＩ基本参照モデル第２層のデータリンク層とＯＳＩ基本参照モデル第３層のネットワーク層とＯＳＩ基本参照モデル第４層のトランスポート層をハードウェア化したＴＣＰ／ＩＰ制御部を内蔵し、ＬＡＮ等のネットワークにおけるＴＣＰ／ＩＰのプロトコル制御をハードウェア制御により実行させることを特徴とした、防災支援システム。
【請求項２】
ＬＡＮ等のネットワークに監視サーバを接続すると共に、該監視サーバを災害監視センターや消防署等の関係機関に設置したサーバや防災指令車に搭載したネットワーク通信端末が接続されたインターネット等のネットワークに接続したことを特徴とした、請求項１に記載の防災支援システム。
【請求項３】
監視サーバ又は上記関係機関に設置したサーバのディスプレイ装置のモニタ画面に、当該ビル等の建築物や施設のフロアーマップ及び防災用端末の設置場所を表示すると共に、災害発生時において警報出力を行った防災用端末の位置を災害発生マークとして点滅又は点灯表示できる災害表示システムを構築しておくことにより、災害発生場所の特定や推移状況を即時に確認できることを特徴とした、請求項１又は請求項２に記載の防災支援システム。
【発明の詳細な説明】
【技術分野】
【０００１】  本発明は、ガス漏れや火災等の災害発生時において災害発生場所の特定や推移状況を即時に確認できると共に、災害情報を迅速且つ確実に関係機関に通報して早期鎮圧を図ることができる、防災支援システムに関するものである。
【背景技術】
【０００２】  従来、ビル等の建築物や施設においてガス漏れや火災等による災害発生を検出するため、ガス漏れ検出器や火災感知器等の防災用端末が設置されている。該防災用端末の警報出力はリレーによる接点出力が一般的であり、該リレー接点出力を系統毎に並列接続して監視装置に入力し、系統毎の監視を行っている。【０００３】  例えば、図２は従来の防災支援システムにおける防災用端末と監視装置との配線系統例図であり、建築物内の部屋２ａ，２ｂにそれぞれ防災用端末４ａ，４ｂを設置し、廊下３の各所に防災用端末４ｃ，４ｄ，４ｅを設置した状態を示している。また、配線５ａにより前記防災用端末４ａ，４ｂ，４ｃ，４ｄ，４ｅの各リレー接点出力を接続し、Ａ系統として監視装置８に入力し、同様に配線５ｂで他の防災用端末（図示せず）の各リレー接点出力を接続し、Ｂ系統として監視装置８に入力している。【０００４】  ここで、部屋２ａで災害が発生し防災用端末４ａが作動してリレー接点がＯＮになった場合、監視装置８においてＡ系統の災害発生表示に対応した表示器９を点灯させることにより、Ａ系統で災害が発生したことを管理者に知らせ、他のＢ系統と区別して系統毎に災害発生を報知することができる。【０００５】  また、特開平０７−１４７５７９の「自動火災報知システム」においては、火災感知器等の防災用端末を接続した中継器及びその受信機に、コンピュータＬＡＮシステムに適合した通信プロトコル機能を有する通信インターフェースを具備し、別置のコンピュータ端末と受信機との相互間並びに受信機と中継器との相互間でコンピュータＬＡＮの通信方式によるデータ伝送が行えるように構成されたシステムにより、系統毎の災害状況を１０ＢＡＳＥ−Ｔ等のＬＡＮにより伝送幹線が一本化できると共に、遠隔地でのデータ入手や制御も可能になる旨の火災報知システムが開示されている。近年において前記防災支援システムをこのようなＬＡＮによるネットワーク対応とすることにより、災害情報の入手及び災害鎮圧の指令等を災害監視センター等において一元管理するシステムが見られる。
【特許文献１】特開平０７−１４７５７９
【発明の開示】
【発明が解決しようとする課題】
【０００６】  しかしながら、前記従来の防災支援システムにおいては、ガス漏れ検出器や火災感知器等の防災用端末のリレー接点出力を系統毎に並列接続即ちＯＲ接続して監視装置に入力しているため、どこか一箇所の防災用端末のリレー接点がＯＮになるだけで当該系統全体がＯＮ状態となってしまい、系統毎の監視しか行えなかった。このため、警報出力を行った防災用端末を特定することができず、初動対応に遅れが生じてしまうという問題点があった。【０００７】  また、前記従来の防災支援システムをＬＡＮ等によりネットワーク対応とさせた場合、通信プロトコルとしてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）が主流であるが、該ＴＣＰ／ＩＰのプロトコル制御はソフトウェア制御により実行されているため、通信速度の高速化が難しいという問題点があった。また、ハッカーによる不正アクセスやウィルスの送出により、データの改竄や盗聴が行われたりシステムがダウンしてしまう危険性があるといった問題点もあった。【０００８】  本発明は以上のような問題点を解決するために成されたものであり、災害発生時において災害発生場所の特定や推移状況を即時に確認でき、更にはＴＣＰ／ＩＰのプロトコル制御の高速化に伴う情報伝送のスピードアップ及び不正アクセスやウィルスに対して堅牢なネットワーク制御が行えることにより、災害情報を迅速且つ確実に関係機関に通報して早期鎮圧を図ることができる、防災支援システムを提供することを目的とする。
【課題を解決するための手段】
【０００９】  上記課題を解決するため、本発明の防災支援システムにおいては、ガス漏れ検出器や火災感知器等の防災用端末のリレー接点出力を制御装置に個々に入力すると共に、該制御装置にＯＳＩ基本参照モデル第２層のデータリンク層とＯＳＩ基本参照モデル第３層のネットワーク層とＯＳＩ基本参照モデル第４層のトランスポート層をハードウェア化したＴＣＰ／ＩＰ制御部を内蔵し、ＬＡＮ等のネットワークにおけるＴＣＰ／ＩＰのプロトコル制御をハードウェア制御により実行させる。【００１０】  また、前記ＬＡＮ等のネットワークに監視サーバを接続すると共に、該監視サーバを災害監視センターや消防署等の関係機関に設置したサーバや防災指令車に搭載したネットワーク通信端末が接続されたインターネット等のネットワークに接続する。
【発明の効果】
【００１１】  本発明の防災支援システムをビル等の建築物や施設において採用すれば、災害発生時において災害発生場所の特定や推移状況を即時に確認できるため、災害鎮圧の初動対応に遅れを生じることなく、迅速に対応することができるという効果を奏する。また、制御装置においてＴＣＰ／ＩＰのプロトコル制御をハードウェア制御により実行させるため、レイテンシが一定且つ速くなることにより高速通信が行え、更にはハッカーによる不正アクセスやウィルスの送出による被害を受けることもない。このため、災害情報を迅速且つ確実に関係機関に通報して早期鎮圧を図ることができるという絶大なる効果を奏する。
【発明を実施するための最良の形態】
【００１２】  本発明を実施するための最良の形態を図を用いて説明する。【００１３】  図１は本発明の防災支援システムにおける防災用端末と制御装置との配線系統例図であり、建築物内の部屋２ａ，２ｂにそれぞれ防災用端末４ａ，４ｂを設置し、廊下３の各所に防災用端末４ｃ，４ｄ，４ｅを設置した状態を示している。該状態において、配線５により前記防災用端末４ａ，４ｂ，４ｃ，４ｄ，４ｅの各リレー接点出力を個々に制御装置１に入力する。また、該制御装置１や管理室等に設置された監視サーバ７をＬＡＮ６に接続し、更に該監視サーバ７をインターネット等のネットワークに接続する。なお、建築物内に部屋や階が多数ある場合には、同一階において制御装置１を複数設置すると共に、各階の複数の制御装置１をハブ（図示せず）を介してＬＡＮ６に接続する。【００１４】  図３は本発明の防災支援システムにおける制御装置を構成する回路ブロック例図であり、制御装置１はＯＳＩ基本参照モデル第１層の物理層であるＥｔｈｅｒｎｅｔＰＨＹ（Ｐｈｙｓｉｃａｌ  ｆｕｎｃｔｉｏｎ）１０と、ＯＳＩ基本参照モデル第２層のデータリンク層１４とＯＳＩ基本参照モデル第３層のネットワーク層１５とＯＳＩ基本参照モデル第４層のトランスポート層１６をハードウェア化したＴＣＰ／ＩＰ制御部１１と、ＳＮＭＰ（Ｓｉｍｐｌｅ  Ｎｅｔｗｏｒｋ  Ｍａｎａｇｅｍｅｎｔ  Ｐｒｏｔｏｃｏｌ）やＨＴＴＰ（Ｈｙｐｅｒｔｅｘｔ  Ｔｒａｎｓｆｅｒ  Ｐｒｏｔｏｃｏｌ）等で構成するネットワーク管理部１２と、ＲＳ２３２Ｃ機器を接続するＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）１７と監視カメラやセンサ類を接続するＳＰＩ（Ｓｅｒｉａｌ／Ｐａｒａｌｌｅｌ  Ｉｎｔｅｒｆａｃｅ）１８と防災用端末を接続するＤＩＯ（Ｄｉｇｉｔａｌ  Ｉｎ／Ｏｕｔ）１９と当該制御装置１の各種設定パラメータを保存するＥＥＰＲＯＭを接続するＥＥＰＲＯＭアクセス部２０で構成する外部インターフェース部１３等により構成する。なお、ネットワーク管理部１２と外部インターフェース部１３において、図示した回路ブロックをすべて実装する必要はなく、用途に応じた最小限の回路ブロックの実装であっても構わない。【００１５】  また、前記制御装置１のＥｔｈｅｒｎｅｔＰＨＹ１０に、１０Ｂａｓｅ−Ｔや１００Ｂａｓｅ−Ｔｘ等によるＬＡＮ６等のネットワークを接続する。【００１６】  また、前記ＬＡＮ６等のネットワークに監視サーバ７を接続すると共に、該監視サーバ７を災害監視センターや消防署等の関係機関に設置したサーバや防災指令車に搭載したネットワーク通信端末が接続されたインターネット等のネットワークに接続する。
【実施例】
【００１７】  本発明の実施例を図を用いて説明する。【００１８】  図５は本発明の防災支援システムにおけるネットワーク構築例図であり、ビル２４の各階の部屋や通路等に設置した防災用端末４のリレー接点出力を、前記図１の説明で述べたように配線５により個々に制御装置１に入力する。また、各階の制御装置１や管理室等に設置された監視サーバ７をＬＡＮ６に接続し、更に該監視サーバ７をインターネット２５等のネットワークに接続する。また、該インターネット２５等のネットワークに、災害監視センター２６や消防署２７等の関係機関に設置したサーバ（図示せず）や防災指令車２８に搭載したネットワーク通信端末を接続する。【００１９】  ここで、ビル２４内でガス漏れや火災等の災害が発生した場合、災害発生場所に一番近いガス漏れ検出器や火災感知器等の防災用端末４が警報出力を行いリレー接点をＯＮにする。該リレー接点出力は、個々に制御装置１のＤＩＯ１９に接続され、トラップ処理により接点状況が即時に読み込まれるため、監視サーバ７において警報出力を行った防災用端末４の位置と時間を容易に特定することができる。また、該監視サーバ７又は災害監視センター２６や消防署２７等の関係機関に設置したサーバにおいて前記位置や時間等の情報を蓄積することにより、災害鎮圧後の災害状況分析が行える。【００２０】  図４は本発明の防災支援システムにおけるモニタ表示例であり、監視サーバ７のディスプレイ装置２１のモニタ画面２２に、当該ビル２４の各階のフロアーマップ及び防災用端末４の設置場所を表示すると共に、災害発生時において警報出力を行った防災用端末４の位置を災害発生マーク２３として点滅又は点灯表示できる災害表示システムを構築しておけば、災害発生場所の特定や推移状況を即時に確認できるため、初動対応が迅速に行えることになる。該図において、災害発生マーク２３ａが点滅している状態を示し、当該位置で災害が発生していることが確認できる。また、災害発生マーク２３の点滅又は点灯状態が移動していけば、災害の推移状況も確認できる。【００２１】  また、前記表示システムを災害監視センター２６や消防署２７等の関係機関に設置したサーバに構築しておけば、インターネット２５等のネットワークを介して前記災害監視センター２６や消防署２７等の関係機関でも確認できる。このため、該災害情報に基づいた指令を無線又はパケット通信網による他のネットワークを介して防災指令車２８に伝達することができ、更に該防災指令車２８は無線により消防車２９に伝達することができるため、災害鎮圧の指令が迅速に行えることになる。【００２２】  また、制御装置１においてＴＣＰ／ＩＰのプロトコル制御をハードウェア制御により実行させるため、レイテンシが一定且つ速く（１００μｓ以下）なることにより高速通信（１００Ｍｂｐｓ以上）が行え、更にはハッカーによる不正アクセスやウィルスの送出による被害を受けることもない。このため、制御装置１の信頼性が向上すると共に、災害情報を迅速且つ確実に関係機関に通報して早期鎮圧を図ることができることになる。
【産業上の利用可能性】
【００２３】  上記説明においては、ガス漏れや火災等の災害発生時における災害発生場所の即時特定と災害状況の迅速な通報及び早期鎮圧の手段を述べたが、本発明の制御装置１には豊富な外部インターフェース部１３を有するため、多種多様な機器やセンサ類を接続することができる。このため、あらゆる種類の防災や、防犯等の他の分野においても利用することが可能である。
【図面の簡単な説明】
【００２４】
【図１】本発明の防災支援システムにおける防災用端末と制御装置との配線系統例図である。
【図２】従来の防災支援システムにおける防災用端末と監視装置との配線系統例図である。
【図３】本発明の防災支援システムにおける制御装置を構成する回路ブロック例図である。
【図４】本発明の防災支援システムにおけるモニタ表示例である。
【図５】本発明の防災支援システムにおけるネットワーク構築例図である。
【符号の説明】
【００２５】１  制御装置
２ａ，２ｂ  部屋
３  通路
４，４ａ，４ｂ，４ｃ，４ｄ，４ｅ  防災用端末
５，５ａ，５ｂ  配線
６  ＬＡＮ
７  監視サーバ
８  監視装置
９  表示器
１０  ＥｔｈｅｒｎｅｔＰＨＹ
１１  ＴＣＰ／ＩＰ制御部
１２  ネットワーク管理部
１３  外部インターフェース部
１４  データリンク層
１５  ネットワーク層
１６  トランスポート層
１７  ＵＡＲＴ
１８  ＳＰＩ
１９  ＤＩＯ
２０  ＥＥＰＲＯＭアクセス部
２１  ディスプレイ装置
２２  モニタ画面
２３，２３ａ  災害発生マーク
２４  ビル
２５  インターネット
２６  災害監視センター
２７  消防署
２８  防災指令車
２９  消防車
【図１】
2006139740.tif 000003
【図２】
2006139740.tif 000004
【図３】
2006139740.tif 000005
【図４】
2006139740.tif 000006
【図５】
2006139740.tif 000007